(57)【特許請求の範囲】
【請求項１】
表面に開閉自在な前面扉（５）を有し、ヒンジを介して開閉自在に筐体（１）に取り付けた中扉（３）を、前記筐体（１）に対し施錠する遊技機の施錠装置であって、
前記中扉（３）の開閉端側裏面で該裏面と平行に上下方向に直線移動し前記中扉（３）の閉動によって前記筐体（１）に固設された係止片（１３）に係止して前記中扉（３）の開放を阻止するスライダ（１１）と、
前記係止片（１３）に係止した該スライダ（１１）に第１の付勢部材（１７）の付勢力によって係合し該スライダ（１１）の移動を阻止するロックアーム（１５）と、
第２の付勢部材（２１）の付勢力によって該ロックアーム（１５）を前記スライダ（１１）から係合解除方向に移動させる解除アーム（１９）と、
前記筐体（１）に固設され前記中扉（３）を閉鎖した状態でのみ前記解除アーム（１９）を押圧して前記第２の付勢部材（２１）の付勢力を消失させるロックピース（２３）と、
前記中扉（３）の裏面に位置し、遊技機前面で操作されるシリンダ錠の回動で回動し、前記スライダ（１１）に対する前記ロックアーム（１５）の係止を解除しかつ前記スライダ（１１）を移動させ前記係止片（１３）との係止を解除するカム（２５）と、
前記中扉（３）の開閉端側裏面に配設され、前記スライダ（１１）と前記ロックアーム（１５）と前記解除アーム（１９）と前記カム（２５）とからなる機構部（３１）を覆い、前記中扉（３）の開閉端側の木口面と略平行とされ、木口面側に配置し設けた隠し板（２７）と、を具備し、
前記カム（２５）は、前記シリンダ錠の回動操作により回動する中心軸（４１）に固着された円板形カムであり、その外周カム面には、径方向外方に延出するスライド杆（２５ａ）とこれに隣接して凹状に形成されるロック解除段部（２５ｂ）とを有しており、
前記ロックアーム（１５）は、前記カム（２５）の中心軸（４１）と平行に上下方向に間隔を有して設けられた軸（３７）回りに揺動自在となり、該軸（３７）を中心に揺動一端側がロック端部（１５ａ）とされ揺動他端側が解除端部（１５ｂ）とされており、
前記中扉（３）の閉鎖施錠位置において、前記シリンダ錠を回動操作させて前記カム（２５）を回動させることにより、その前記ロック解除段部（２５ｂ）を前記ロックアーム（１５）の前記解除端部（１５ｂ）に係合させて前記スライダ（１１）に対するロックアーム（１５）の係止を解除させ、さらに、カム（２５）の前記スライド杆（２５ａ）をスライダ（１１）に形成したスライド穴（１１ｂ）に係合させてスライダ（１１）を移動させ、これにより、スライダ（１１）と前記筐体（１）に固設された前記係止片（１３）との係止を解除させて、中扉（３）の開放を可能としたことを特徴とする遊技機の施錠装置。
【発明の詳細な説明】
【０００１】
【発明の属する技術分野】
本発明は、遊技機の施錠装置に関し、特に、中扉の開閉端側の木口と筐体との隙間から挿入される針金等による不正行為を防止する改良技術に関する。
【０００２】
【従来の技術】
従来、パチンコ遊技機等の遊技機の施錠装置として、例えば実公昭５８−４５３８号公報に開示されているものがある。これは、図８に示すように、前面枠１００の開放側裏面にシリンダ錠１０１と、該シリンダ錠１０１の錠軸１０２に取付けられたカム板１０３と、上下一対の鉤片１０４，１０４を有する昇降杆１０５とを基枠体１０６を介して取り付けると共に、外枠１０７の開放側内側面の上下位置に前記鉤片１０４，１０４が係脱する係止金具１０８，１０８を固着し、シリンダ錠１０１の回動操作によりカム板１０３を回動して昇降杆１０５を上下方向へ摺動させると共に、係止金具１０８，１０８と鉤片１０４，１０４との係合を解除して前面枠１００を解錠するように構成されたものである。
【０００３】
【発明が解決しようとする課題】
しかしながら、上記した従来の施錠装置は、前面枠１００の開閉端側の裏面に、昇降杆１０５，カム板１０３とを配設し、これらの機構部が前面枠１００の開閉端側の木口側に露出する状態となっていたため、図９に示すように、前面枠１００を閉鎖した場合であっても、前面枠１００と外枠１０７との隙間Ｓから針金等を挿入すれば、容易に機構部に接触して不正な行為、悪戯ができた。
【０００４】
また、前面枠１００の木口を覆っていない構造のため、上記のようにして挿入した針金によって、前面枠１００の裏面に配置した遊技用制御基板等への不正な行為も可能となっていた。
【０００５】
さらに、従来の施錠装置は、昇降杆１０５がカム板１０３だけによって上下摺動して、係止金具１０８に係脱する機構であったため、上記した隙間Ｓから針金等を挿入することにより、昇降杆１０５を係合解除する方向に直接移動させることも可能で、前面枠１００が開放されてしまい、高い施錠信頼性を得ることができなかった。
【０００６】
本発明は上記状況に鑑みてなされたもので、隙間から挿入される針金等によっても昇降杆を解除することができず、しかも、隙間から挿入された針金等による遊技用制御基板等への不正な行為を防止することのできる遊技機の施錠装置を提供し、もって、施錠信頼性の向上を図ることを目的とする。
【０００７】
【課題を解決するための手段】
次に、上記の課題を解決するための手段を、実施の形態に対応する図面を参照して説明する。
この発明の請求項１記載の遊技機の施錠装置７は、表面に開閉自在な前面扉５を有し、ヒンジを介して開閉自在に筐体１に取り付けた中扉３を、前記筐体１に対し施錠する遊技機の施錠装置７であって、
前記中扉３の開閉端側裏面で該裏面と平行に直線移動し前記中扉３の閉動によって前記筐体に固設された係止片１３に係止して前記中扉３の開放を阻止するスライダ１１と、
前記係止片１３に係止した該スライダ１１に第１の付勢部材１７の付勢力によって係合し該スライダ１１の移動を阻止するロックアーム１５と、
第２の付勢部材２１の付勢力によって該ロックアーム１５を前記スライダ１１から係合解除方向に移動させる解除アーム１９と、
前記筐体１に固設され前記中扉３を閉鎖した状態でのみ前記解除アーム１９を押圧して前記第２の付勢部材２１の付勢力を消失させるロックピース２３と、
前記中扉３の裏面に位置し、遊技機前面で操作されるシリンダ錠の回動で回動し、前記スライダ１１に対する前記ロックアーム１５の係止を解除しかつ前記スライダ１１を移動させ前記係止片１３との係止を解除するカム２５と、
を具備したことを特徴とする。
さらに、請求項１では、前記カム２５は、前記シリンダ錠の回動操作により回動する中心軸４１に固着された円板形カムであり、その外周カム面には、径方向外方に延出するスライド杆２５ａとこれに隣接して凹状に形成されるロック解除段部２５ｂとを有しており、前記ロックアーム１５は、前記カム２５の中心軸４１と平行に上下方向に間隔を有して設けられた軸３７回りに揺動自在となり、該軸３７を中心に揺動一端側がロック端部１５ａとされ揺動他端側が解除端部１５ｂとされている。前記中扉３の閉鎖施錠位置において、前記シリンダ錠を回動操作させて前記カム２５を回動させることにより、その前記ロック解除段部２５ｂを前記ロックアーム１５の前記解除端部１５ｂに係合させて前記スライダ１１に対するロックアーム１５の係止を解除させ、さらに、カム２５の前記スライド杆２５ａをスライダ１１に形成したスライド穴１１ｂに係合させてスライダ１１を移動させ、これにより、スライダ１１と前記筐体１に固設された前記係止片１３との係止を解除させて、中扉３の開放を可能としたことを特徴としている。
【０００８】
この遊技機の施錠装置７では、中扉３を閉めると、スライダ１１が係止片１３に当接して移動した後、係止片１３に係止して中扉３の開放が不能となる。さらに、中扉３が閉鎖することで、ロックピース２３が解除アーム１９を押え第２の付勢部材２１の付勢力を消失させ、ロックアーム１５が第１の付勢部材１７の付勢力によって、スライダ１１に係合する。これにより、例えば、中扉３の木口と筐体１との隙間から針金等を挿入してスライダ１１と係止片１３との係止を解除し、中扉３を不正に開放しようとしても、ロックアーム１５がスライダ１１の移動を阻止し、ロックが二重となって、中扉３の施錠信頼性が向上する。なお、中扉３が開放した状態では、ロックピース２３による解除アーム１９への押圧がなくなり、第２の付勢部材２１の付勢力によって、ロックアーム１５が第１の付勢部材１７の付勢力に抗して、スライダ１１から係合解除する方向に移動する。これにより、中扉３の開放状態では、スライダ１１はロックアーム１５に係合することなく、移動自在となる。
【０００９】
さらに、請求項１記載の遊技機の施錠装置７は、前記スライダ１１と、前記ロックアーム１５と、前記解除アーム１９と、前記カム２５とからなる機構部３１を前記中扉３の開閉端側裏面に配設し、
該機構部３１を覆う隠し板２７を、前記中扉３の開閉端側の木口面と略平行とされ、木口面側となるように配置し設けたことを特徴とする。
【００１０】
この遊技機の施錠装置７では、機構部３１を、中扉３の木口面と略平行に設け、木口面側に配置して、中扉３の開閉端側の端面側を隠し板２７によって覆うことで、中扉３の開閉端側の木口と筐体１との隙間から挿入した針金等の機構部３１への接触を確実に阻止することができる。これにより、機構部３１への悪戯を防止することができる。さらに、中扉３の木口を隠し板２７で覆うことにより、中扉３の木口と筐体１との隙間から挿入した針金等による中扉裏面制御基板等への不正操作や悪戯も行えなくすることができる。
【００１１】
【発明の実施の形態】
以下、本発明に係る遊技機の施錠装置の好適な実施の形態を図面を参照して詳細に説明する。
図１は本発明に係る施錠装置を遊技機の裏面から見た背面図、図２は図１におけるＣ−Ｃ矢視図、図３は図１におけるＤ−Ｄ線断面図である。
【００１２】
例えばパチンコ台等の遊技機は、図示しないヒンジによって筐体１に対して開閉自在となった中扉３を有している。中扉３は、表面に、開閉自在な前面扉５を有している。前面扉５は、その殆どを開口部として、その開口部にガラス板が嵌着され、中扉３の表面に実装した遊技板（図示せず）を目視可能としている。
【００１３】
中扉３は、開閉端側の裏面に本実施の形態による施錠装置７を配設している。中扉３は、この施錠装置７によって筐体１に対し施錠可能となっている。
施錠装置７は、スライダ１１と、係止片１３と、ロックアーム１５と、第１の付勢部材としてのバネＡ１７と、解除アーム１９と、第２の付勢部材としてのバネＢ２１と、ロックピース２３と、カム２５と、隠し板２７とをその構成の主要部として有している。このうち、スライダ１１，ロックアーム１５，バネＡ１７，解除アーム１９，バネＢ２１，カム２５は、機構部３１を構成している。
【００１４】
スライダ１１は、ガイド溝１２に沿って、中扉３の開閉端側裏面で、この裏面と平行に直線移動、図１及び図２における上下方向にスライド移動するようになってる。このスライダ１１には図示しない付勢手段、例えばスライダバネが連結されており、スライダバネはスライダ１１を図１の上方向に付勢している。スライダ１１は、下端に、図２に示す係止爪３３を有している。係止爪３３は、中扉３の裏面方向、すなわち筐体１内方向に突出し、上縁が、先端方向に下り傾斜する傾斜部３３ａとなっている。
【００１５】
筐体１には、係止片１３を固設してあり、係止片１３は座板から垂直に起立する係止部１３ａを有している。したがって、開放状態にある中扉３が、図２の左方から閉動すると、傾斜部３３ａが係止部１３ａに当接し、スライダ１１が下方向に移動し、その後、スライダ１１がスライダバネによって上方向に移動し、係止爪３３が係止部１３ａに係止するようになっている。このように、中扉３の閉動によって係止片１３に係止したスライダ１１は、中扉３の開放を阻止することになる。
【００１６】
ロックアーム１５は、中扉３の裏面に垂直に設けた軸３７回りに揺動自在となる。ロックアーム１５は、軸３７を中心に、揺動一端側がロック端部１５ａとなり、揺動他端が解除端部１５ｂとなる。
バネＡ１７は、このロックアーム１５を図１の反時計回りに付勢し、ロック端部１５ａをスライダ１１のロック穴１１ａに係止させる。したがって、中扉３の閉鎖状態である係止片１３にスライダ１１が係止した状態では、スライダ１１は、ロックアーム１５によって移動しないようになっている。つまり、二重ロック状態となっている。
【００１７】
解除アーム１９は、中扉３の裏面に垂直に設けた軸３９回りに揺動自在となる。解除アーム１９は、揺動先端がロックアーム１５の凸片１５ｃに接触する。バネＢ２１は、この解除アーム１９を反時計回りに付勢する。すなわち、解除アーム１９は、バネＢ２１の付勢力によってロックアーム１５をスライダ１１から係合解除方向に移動させる。解除アーム１９は、揺動先端によってロックアーム１５の凸片１５ｃを押圧し、ロックアーム１５を図１の時計回りに回動させようとするが、中扉３の閉鎖時には、筐体１側に設けたロックピース２３の傾斜先端２３ａが解除アーム１９を時計回り方向に押圧し、解除アーム１９と凸片１５ｃを非接触にして、ロックアーム１５のロック端部１５ａがロック穴１１ａから抜けることを阻止している。
【００１８】
つまり、ロックピース２３は、中扉３を閉鎖した状態でのみ解除アーム１９を介してバネＢ２１を押圧して、バネＢ２１の付勢力を消失させるように作用する。
【００１９】
遊技機の表面、本実施の形態では中扉３の表面に位置して、図示しないシリンダ錠が設けられており、シリンダ錠の施解錠による回動操作は、中扉３の裏面に突出する軸４１を回動するようになっている。
カム２５は、この軸４１の外周に固着して回動するようになっている。つまり、カム２５は、遊技機前面で操作したシリンダ錠の回動で回動する。カム２５は、径方向外方に延出するスライド杆２５ａと、このスライド杆２５ａに隣接して凹状に形成されるロック解除段部２５ｂとを有している。
【００２０】
カム２５は、遊技機表面でシリンダ錠を時計回りで回動すると、その回動が軸４１を介して伝わり、図１の反時計回りで回動し、ロック解除段部２５ｂがロックアーム１５の解錠端部１５ｂに係合して、ロックアーム１５を時計回りに回動させるとともに、スライド杆２５ａがスライダ１１のスライド穴１１ｂに係合して、スライダ１１を図１の下方向へ移動させる。つまり、これにより、カム２５は、スライダ１１に対するロックアーム１５の係止を解除しかつスライダ１１を移動させて係止片１３との係止を解除するようになっている（図２中二点鎖線）。
【００２１】
なお、カム２５には、図１に示すように、スライダ杆２５ａに所定角度をあけて、このスライダ杆２５ａと同形状のスライダ杆２５ｃが延出形成されている。このスライダ杆２５ｃは、カム２５を上記した回動方向と逆の方向（図１の時計回り方向）に回動させることで、図示しない機構により、前面扉５を中扉３に対してのみ開放させることができるようになっている。
【００２２】
中扉３の開閉端側の木口には、木口面と略平行な隠し板２７を設けている。この隠し板２７は、例えば、機構部３１のみを構成させる基台２８となる略Ｌ字状の部材にて構成することができ、また、中扉３裏面のシャーシ部分の端縁を折曲形成することで得ることができる。これにより、機構部３１のスライダ１１，ロックアーム１５，バネＡ１７，解除アーム１９，バネＢ２１，カム２５は中扉３の開閉端側の端縁である木口から露出しないようになっている。つまり、中扉３を閉鎖した状態において、中扉３の木口と、筐体１との隙間Ｓから針金等を挿入しても、機構部３１に触れることができないようになっている。
【００２３】
なお、図７に示すように、機構部３１を、中扉３の厚み寸法内に納めて構成することとしても良く、この場合においても、筐体１との隙間Ｓから針金等を挿入しても機構部３１に針金等の先端が容易に達することはない。
【００２４】
次に、以上のように構成した施錠装置の動作を図４〜図６を参照しながら説明する。
図４は中扉閉鎖時における施錠装置の状態を（ａ）、ロックアームのロック解除状態を（ｂ）に示した動作説明図、図５はスライダの係止解除状態を（ａ）、バネＢの付勢状態を（ｂ）に示した動作説明図、図６は中扉開放時における施錠装置の状態を（ａ）、係止片当接時のスライダの状態を（ｂ）に示した動作説明図である。
【００２５】
図４（ａ）に示すように、中扉３の閉鎖時、スライダ１１は、上方のスライド位置となり、係止爪３３を係止片１３の係止部１３ａに係止している。また、同時に、ロックアーム１５のロック端部１５ａがスライダ１１のロック穴１１ａに係止し、スライダ１１の移動を規制している。つまり、二重ロック状態となっている。
【００２６】
中扉３を開放するため、遊技機の表面よりシリンダ錠を解錠操作して、時計回りに回動すると、図４（ｂ）に示すように、カム２５が反時計回りに回動する。すると、カム２５のロック解除段部２５ｂが、ロックアーム１５の解除端部１５ｂに当接し、ロックアーム１５を時計回りに回動させる。これにより、ロックアーム１５のロック端部１５ａがスライダ１１のロック穴１１ａから外れ、スライダ１１が移動自在となる。
【００２７】
さらにカム２５が反時計回りに回動すると、スライド杆２５ａが、スライダ１１のスライド穴１１ｂに係合し、図５（ａ）に示すように、スライダ１１を下方向へ移動させる。これにより、スライダ１１の係止爪３３が、係止片１３の係止部１３ａから外れ、中扉３が筐体１から開放可能となる。
【００２８】
中扉３が開放すると、ロックピース２３が解除アーム１９から離れる。これにより、バネＢ２１は、図５（ｂ）の反時計回り方向に解除アーム１９を付勢し、揺動先端がロックアーム１５の凸片１５ｃに当接して押圧し、時計回り方向に付勢する。
【００２９】
図６（ａ）に示すように、シリンダ錠のキーを元の位置に戻して抜くと、カム２５も元の位置に戻る。スライダ１１は、スライダバネによって上方向に移動する。但し、中扉は開放しているので、スライダ１１と係止片１３とは係止していない。また、この状態で、カム２５とロックアーム１５とは係合を解除しているが、ロックアーム１５は、バネＢ２１によって付勢された解除アーム１９によって時計回りに押され、スライダ１１に係合することがない。
【００３０】
この開放状態から、中扉３を閉動すると、スライダ１１の係止爪３３が係止片１３の係止部１３ａに当たり、図２に示した傾斜先端２３ａによって図６（ｂ）に示すように下方向へ移動する。
【００３１】
中扉３が完全に閉鎖すると、係止爪３３が係止部１３ａに係止し、中扉３が施錠状態となるとともに、ロックピース２３が解除アーム１９を図４（ａ）の時計回りに押圧する。これにより、ロックアーム１５は、解除アーム１９による付勢がなくなり、今度はバネＡ１７による付勢力によって反時計回りに回動し、ロック端部１５ａをスライダ１１のロック穴１１ａに係止して、スライダ１１を二重係止する。これにより、中扉の施錠が完了する。
【００３２】
このように、上記した遊技機の施錠装置によれば、中扉３を閉めると、スライダ１１が係止片１３に当接して移動した後、係止片１３に係止して中扉３の開放が不能となる。さらに、中扉３が閉鎖することで、ロックピース２３がバネＢ２１の付勢力を消失させ、ロックアーム１５がバネＡ１７の付勢力によって、スライダ１１に係合する。
これにより、例えば、中扉３の木口と筐体１との隙間から針金等を挿入してスライダ１１と係止片１３との係止を解除し、中扉３を不正に開放しようとしても、ロックアーム１５がスライダ１１の移動を阻止し、ロックが二重となっていることから、中扉３の施錠信頼性を向上させることができる。
【００３３】
また、機構部３１を、中扉３の木口面と略平行とされ木口面側とされて設けた隠し板２７によって覆うことで、中扉３の開閉端側の木口と筐体１との隙間から挿入した針金等の機構部３１への接触を確実に阻止することができる。これにより、機構部３１への不正な行為を防止することができる。
さらに、中扉３の木口側を隠し板２７で覆うことにより、中扉３の木口と筐体１との隙間から挿入した針金等の中扉裏面制御基板等への不正な行為、悪戯も行い難くすることができる。
【００３４】
【発明の効果】
以上説明したように、本発明に係る遊技機の施錠装置によれば、中扉の開閉端側裏面に、筐体に固設された係止片に係止して中扉の開放を阻止するスライダを設け、このスライダに係合してスライダの移動を阻止するロックアームを設け、遊技機前面で操作したシリンダ錠の回動で回動し、スライダに対するロックアームの係止を解除しかつスライダを移動して係止片との係止を解除するカムを設けたので、例えば、中扉の木口と筐体との隙間から針金等を挿入してスライダと係止片との係止を解除し、中扉を不正に開放しようとしても、ロックアームがスライダの移動を阻止していることから、ロックが二重状態となっており、このような不正な行為による中扉の開放を阻止することができ、中扉の施錠信頼性を向上させることができる。
【００３５】
また、スライダ，ロックアーム，解除アーム，カムからなる機構部を、中扉の木口面と略平行で、木口面側となるように設けた隠し板によって覆うことで、中扉の開閉端側の木口と筐体との隙間から挿入した針金等の前記機構部への接触を確実に阻止することができる。これにより、機構部への不正な行為、すなわち機構部を直接操作することでの中扉の開放操作を防止することができる。
さらに、中扉の木口側を隠し板で覆うことにより、中扉の木口と筐体との隙間から挿入した針金等の中扉裏面制御基板等への不正な行為、悪戯も行い難くすることが可能となる。
【図面の簡単な説明】
【図１】本発明に係る施錠装置を遊技機の裏面から見た背面図である。
【図２】図１におけるＣ−Ｃ矢視図である。
【図３】図１におけるＤ−Ｄ線断面図である。
【図４】中扉閉鎖時における施錠装置の状態を（ａ）、ロックアームのロック解除状態を（ｂ）に示した動作説明図である。
【図５】スライダの係止解除状態を（ａ）、第２の付勢部材の付勢状態を（ｂ）に示した動作説明図である。
【図６】中扉開放時における施錠装置の状態を（ａ）、係止片当接時のスライダの状態を（ｂ）に示した動作説明図である。
【図７】他の実施の形態による施錠装置の平断面図である。
【図８】従来の施錠装置の斜視図である。
【図９】従来の施錠装置の平断面図である。
【符号の説明】
１…筐体
３…中扉
５…前面扉
７…施錠装置
１１…スライダ
１３…係止片
１５…ロックアーム
１７…第１の付勢部材（バネＡ）
１９…解除アーム
２１…第２の付勢部材（バネＢ）
２３…ロックピース
２５…カム
２７…隠し板
３１…機構部
【図１】
0004369081.tif 000002
【図２】
0004369081.tif 000003
【図３】
0004369081.tif 000004
【図４】
0004369081.tif 000005
【図５】
0004369081.tif 000006
【図６】
0004369081.tif 000007
【図７】
0004369081.tif 000008
【図８】
0004369081.tif 000009
【図９】
0004369081.tif 000010